(57)【要約】【課題】  少人数のオペレータであっても効率的な監視を実行可能なプラント監視システムを提供する。【解決手段】  プラント監視装置は、固定視野カメラと可動視野カメラを含む監視カメラＡ−１〜Ｃ−８を備える。監視装置１１は、固定視野カメラ及び可変視野カメラの複数の視野位置の組合せである複数の画像グループデータ３８Ａ〜３８Ｈを記憶する記憶部２６を備える。監視装置１１のカメラ制御部２７は、画像グループデータ３８Ａ〜３８Ｈに基づいて、監視カメラＡ−１〜Ｃ−８のうち固定視野カメラに監視対象を撮影させると共に、可変視野カメラの視野位置を変更させて変更した視野位置で監視対象を撮影させる。監視装置１１の表示制御部２８は、監視カメラＡ−１〜Ｃ−８で撮影中の画像をモニタディスプレイ２１の画面２３に順次表示させる。画面２３を分割した副領域２３Ａ〜２３Ｄには、別個の監視カメラＡ−１〜Ｃ−８の画像が表示される。【選択図】図２
2006139668.tif 000002
【特許請求の範囲】
【請求項１】
固定された１つの視野位置を有し、かつこの視野位置がプラント内の特定の監視対象に対応する少なくとも１台の固定視野カメラと、
視野を水平方向及び／又は垂直方向に変更可能であって複数の視野位置を有し、かつ個々の視野位置が前記プラント内の特定の監視対象にそれぞれ対応する少なくとも１台の可変視野カメラと、
前記固定視野カメラ及び前記可変視野カメラと通信回線を介して接続された監視装置とを備え、
前記監視装置は、
前記固定視野カメラ及び前記可変視野カメラで撮影された画像を表示するための画面を有する表示装置と、
前記固定視野カメラ及び／又は前記可変視野カメラの複数の前記視野位置の組合せである複数の画像グループデータと、これら複数の画像グループデータの順序とを記憶する記憶部と、
個々の前記画像グループデータに基づいて、前記固定視野カメラにその固定視野カメラが有する前記視野位置で前記監視対象を撮影させると共に、前記可変視野カメラの前記視野位置を変更させ、変更した前記視野位置で前記監視対象を撮影させ、かつ前記順序に基づいて前記画像グループデータを順次切り換えるカメラ制御部と、
前記個々の画像グループデータに対応する前記固定視野カメラ及び／又は前記可変視野カメラで撮影中の画像を前記表示装置の画面に順次表示させ、かつ前記画面を複数の副領域に分割して、個々の画像グループデータに含まれる個々の前記固定視野カメラ及び／又は前記可変視野カメラの視野位置の画像をそれぞれ副領域に表示させる表示制御部と
を備えることを特徴とするプラント監視システム。
【請求項２】
前記カメラ制御部は、予め設定された時間間隔で前記画像グループデータを切り換えることを特徴とする請求項１に記載のプラント監視システム。
【請求項３】
前記記憶部は、前記固定視野カメラの前記固定の視野位置及び前記可変視野カメラの前記複数の視野位置を記憶したカメラデータ記憶部と、前記画像グループデータを記憶する画像グループデータ記憶部とを備え、
前記監視装置は、前記カメラデータ記憶部に記憶された前記視野位置に基づいて、前記画像グループデータを作成して前記画像グループデータ記憶部に記憶させる設定操作部を備えることを特徴とする請求項１又は請求項２に記載のプラント監視システム。
【請求項４】
前記記憶部は、前記画像グループデータ記憶部に記憶された画像グループデータのうち、前記表示装置で順次表示される対象となるものを記憶したシーケンスデータ記憶部をさらに備え、
前記設定操作部は、前記シーケンスデータ記憶部に記憶される画像グループデータの追加及び削除可能であることを特徴とする請求項３に記載のプラント監視システム。
【発明の詳細な説明】
【技術分野】
【０００１】
本発明は、化学プラント、石油プラント、各種の生産プラント、上下水処理プラント等のプラントを監視するためのプラント監視システムに関する。
【背景技術】
【０００２】
プラント内の種々の装置、設備、計器等を監視するために、動画像を撮影可能な監視カメラを使用することが知られている。監視カメラで撮影された動画像はコントロールルームに設置されたモニタディスプレイにリアルタイムで表示され、オペレータはこの動画像を見ることで装置、設備、計器等の複数の監視対象を監視することができる。
【０００３】
監視カメラは、視野が固定されたカメラ（固定視野カメラ）と、水平方向の旋回（パン）や垂直方向の旋回（チルト）が可能でそれによって水平方向や垂直方向の視野を変更可能なカメラ（可変視野カメラ）とに大別される。可変視野カメラは視野を変更することができるので、１台で複数の監視対象を撮影できる。
【０００４】
従来のプラント監視では、可変視野カメラは一定のシーケンスで水平方向や垂直方向の旋回を行いつつ撮影を行い、撮影中の動画像をモニタディスプレイにリアルタイムで表示させる運用が一般的である。モニタディスプレイに表示される可変視野カメラの動画像は時々刻々と視野が変化し、オペレータはそれを追いかけて可変視野カメラの視野内に含まれる複数の監視対象を視認する。
【０００５】
しかし、このような従来のプラント監視における可変視野カメラの運用では、オペレータは可変視野カメラが一つの監視対象を含む視野位置から別の監視対象を含む視野位置に旋回するまでの間もモニタディスプレイを見続ける必要があり、少なくともモニタディスプレイから完全に目を離すことはできない。言い換えると、従来の可変視野カメラの運用では、一つの監視対象が撮影されている状態から別の撮影対象が撮影されるまでの待ち時間がある。
【０００６】
プラントの大型化に伴い監視対象の数は著しく増加する傾向にあるので、監視カメラの台数を低減するために可能な限り可変視野カメラを使用することが要求されている。従って、前記可変視野カメラの運用における待ち時間はプラント監視の効率低下の大きな要因となる。特に、プラント運転コスト低減の観点から、モニタディスプレイを見るオペレータの人数の削減が要請されているが、少人数で多数の監視対象を監視する場合、可変視野カメラの運用における待ち時間は監視効率を大きく低下させる。
【０００７】
【特許文献１】特開２００３−２０２９２１号公報
【発明の開示】
【発明が解決しようとする課題】
【０００８】
本発明は、前記従来のプラント監視における問題を解決するためになされたものであり、比較的少人数のオペレータであっても効率的な監視を実行可能なプラント監視システムを提供することを課題とする。
【課題を解決するための手段】
【０００９】
本発明は、固定された１つの視野位置を有し、かつこの視野位置がプラント内の特定の監視対象に対応する少なくとも１台の固定視野カメラと、視野を水平方向及び／又は垂直方向に変更可能であって複数の視野位置を有し、かつ個々の視野位置が前記プラント内の特定の監視対象にそれぞれ対応する少なくとも１台の可変視野カメラと、前記固定視野カメラ及び前記可変視野カメラと通信回線を介して接続された監視装置とを備え、前記監視装置は、前記固定視野カメラ及び前記可変視野カメラで撮影された画像を表示するための画面を有する表示装置と、前記固定視野カメラ及び／又は前記可変視野カメラの複数の前記視野位置の組合せである複数の画像グループデータと、これら複数の画像グループデータの順序とを記憶する記憶部と、個々の前記画像グループデータに基づいて、前記固定視野カメラにその固定視野カメラが有する前記視野位置で前記監視対象を撮影させると共に、前記可変視野カメラの前記視野位置を変更させ、変更した前記視野位置で前記監視対象を撮影させ、かつ、前記順序に基づいて前記画像グループデータを順次切り換えるカメラ制御部と、前記個々の画像グループデータに対応する前記固定視野カメラ及び／又は前記可変視野カメラで撮影中の画像を前記表示装置の画面に順次表示させ、かつ前記画面を複数の副領域に分割して、個々の画像グループデータに含まれる個々の前記固定視野カメラ及び／又は前記可変視野カメラの視野位置の画像をそれぞれ副領域に表示させる表示制御部とを備えることを特徴とするプラント監視システムを提供する。
【００１０】
表示装置の画面には、個々の画像グループデータに対応する固定視野カメラや可変視野カメラで撮影中の画像が表示される。個々の画像グループデータは、固定視野カメラ及び／又は可変視野カメラの複数の視野位置の組合せである。従って、画面に含まれる個々の副領域には、それぞれ別の固定視野カメラの画像や可変視野カメラの１つの視野位置での画像が表示される。また、表示装置の画面に表示される画像は順次切り換えられる。従って、オペレータは表示装置の画面を見ることで、プラントに含まれる装置、設備、計器等の複数の監視対象を効率的に監視できる。
【００１１】
特に、可変視野カメラの視野は画像グループデータに基づいて特定の監視対象に対応する視野位置に変更され、その変更された視野位置で可変視野カメラが撮影中の画像が表示装置の画面の副領域に表示される。従って、従来のプラント監視における可変視野カメラの運用のように、可変視野カメラの視野が一つの監視対象から他の監視対象に移動する間もオペレータが表示装置の画面を見続ける必要はない。
【００１２】
具体的には、前記カメラ制御部は、予め設定された時間間隔で前記画像グループデータを切り換える。
【００１３】
さらに具体的には、前記記憶部は、前記固定視野カメラの前記固定の視野位置及び前記可変視野カメラの前記複数の視野位置を記憶したカメラデータ記憶部と、前記画像グループデータを記憶する画像グループデータ記憶部とを備え、前記監視装置は、前記カメラデータ記憶部に記憶された前記視野位置に基づいて、前記画像グループデータを作成して前記画像グループデータ記憶部に記憶させる設定操作部を備える。
【００１４】
また、前記記憶部は、前記画像グループデータ記憶部に記憶された画像グループデータのうち、前記表示装置で順次表示される対象となるものを記憶したシーケンスデータ記憶部をさらに備え、前記設定操作部は、前記シーケンスデータ記憶部に記憶される画像グループデータの追加及び削除可能である。
【００１５】
オペレータは必要に応じて画像グループデータや、シーケンス表示の対象となる画像グループデータの変更、追加、及び削除を行うことができ、より効率的なプラント監視が可能となる。
【発明の効果】
【００１６】
本発明のプラント監視システムでは、画像グループデータに基づいてカメラ制御部が固定視野カメラにその視野位置で監視対象を撮影させると共に、可変視野カメラの視野位置を変更させ、かつ変更した前記視野位置で監視対象を撮影させる。表示装置の画面の副領域には画像グループデータに対応する固定視野カメラや可変視野カメラで撮影中の監視対象の画像がそれぞれ表示される。また、表示画面に表示される監視対象の画像は順次切り換えられる。さらに、可変視野カメラの視野は画像グループデータで規定された視野位置に自動的に変更されるので、可変視野カメラの視野が一つの監視対象から他の監視対象に移動する間もオペレータが表示装置の画面を見続ける必要がない。従って、本発明のプラント監視システムにより、比較的少人数のオペレータで効率的にプラントを監視することができる。
【発明を実施するための最良の形態】
【００１７】
図１及び図２に示す本発明の実施形態に係るプラント監視システムは、図３に示す３つの化学プラント（以下、単にプラントという。）Ａ，Ｂ，Ｃを監視するためのものである。
【００１８】
まず、プラントＡ〜Ｃ内の監視カメラ（以下、単にカメラという。）の配置を説明する。プラントＡには６台の監視カメラＡ−１〜Ａ−６が設置されている。これらのカメラＡ−１〜Ａ−６のうち、２台のカメラＡ−１，Ａ−２は可変視野カメラであり、残りの４台のカメラＡ−３〜Ａ−６は固定視野カメラである。
【００１９】
可変視野カメラであるカメラＡ−１，Ａ−２は、水平方向の旋回（パン）及び垂直方向の旋回（チルト）が可能であり、それによって視野を水平方向及び垂直方向にできる。カメラＡ−１，Ａ−２には、それぞれ特定の監視対象に対応する複数のプリセット位置ないしは視野位置が設定されている。まず、カメラＡ−１には、３つの視野位置Ａ−１−Ｐ１〜Ｐ３が設定されている。視野位置Ａ−１−Ｐ１は、プラントＡ内のタワー及びタンク１Ａが視野内に含まれるように設定されている。また、視野位置Ａ−１−Ｐ２は、プラントＡ内のポンプ及びコンプレッサ２Ａが視野内に含まれるように設定される。さらに、視野位置Ａ−１−Ｐ３は、プラントＡ内の流量計、圧力計等の計器３Ａが視野内に含まれるように設定されている。カメラＡ−２には、プラントＡ内のタワー及びタンク１Ｂに対応する視野位置Ａ−２−Ｐ１、ポンプ及びコンプレッサ２Ａに対応する視野位置Ａ−２−Ｐ２、及び流量計等の計器３Ｂに対応する視野位置Ａ−２−Ｐ３が設定されている。
【００２０】
固定視野カメラであるカメラＡ−３〜Ａ−６は、特定の監視対象に対応する１つの固定の視野位置をそれぞれ有している。カメラＡ−３の視野位置Ａ−３−Ｐ’は、プラントＡ内のタワー及びタンク１Ｂに対応する。また、カメラＡ−４の視野位置Ａ−４−Ｐ’は、プラントＡ内の計器３Ｃに対応している。さらに、カメラＡ−５，Ａ−６の視野位置Ａ−５−Ｐ’，Ａ−６−Ｐ’は、プラントＡ内の加熱炉５Ａのバーナーに対応している。
【００２１】
プラントＢには６台のカメラＢ−１〜Ｂ−６が設置されている。これらのカメラＢ−１〜Ｂ−６のうち、２台のカメラＢ−１，Ｂ−４は可変視野カメラであり、残りの４台のカメラＢ−２，Ｂ−３，Ｂ−５，Ｂ−６は、固定視野カメラである。
【００２２】
プラントＢに設置された可変視野カメラのうち、カメラＢ−１には、プラントＡのタワー及びタンク１Ａに対応する視野位置Ｂ−１−Ｐ１、プラントＢ内のポンプ及びコンプレッサ２Ｂに対応する視野位置Ｂ−１−Ｐ２、及びプラントＢ内のタワー及びタンク１Ｃに対応する視野位置Ｂ−１−Ｐ３が設定されている。一方、カメラＢ−４には、プラントＢ内のポンプ及びコンプレッサ２Ｃに対応する視野位置Ｂ−４−Ｐ１、プラントＢ内のタワー及びタンク１Ｅに対応する視野位置Ｂ−４−Ｐ２、及びプラントＣ内の計器３Ｄに対応する視野位置Ｂ−４−Ｐ３が設定されている。
【００２３】
プラントＢに設置された固定カメラのうち、カメラＢ−２，Ｂ−３の視野位置Ｂ−２−Ｐ’，Ｂ−３−Ｐ’はプラントＢ内のポンプ及びコンプレッサ２Ｄに対応する。また、カメラＢ−５，Ｂ−６の視野位置Ｂ−５−Ｐ’，Ｂ−６−Ｐ’はプラントＢ内の加熱炉５Ｂのバーナーに対応している。
【００２４】
プラントＣには８台のカメラＣ−１〜Ｃ−８が設置されている。これらのカメラＣ−１〜Ｃ−８のうち、２台のカメラＣ−１，Ｃ−２は可変視野カメラであり、広い視野を確保するために高層煙突６に設置されている。残りの６台のカメラＣ−３〜Ｃ−６は、固定視野カメラである。
【００２５】
プラントＣの可変視野カメラのうち、カメラＣ−１には、プラントＡのポンプ及びコンプレッサ２Ｅに対応する視野位置Ｃ−１−Ｐ１、プラントＢのポンプ及びコンプレッサ２Ｂに対応する視野位置Ｃ−１−Ｐ２、及びプラントＡのタワー及びタンク１Ｄに対応する視野位置Ｃ−１−Ｐ３が設定されている。一方、カメラＣ−２には、プラントＢのタワー及びタンク１Ｆに対応する視野位置Ｃ−１−Ｐ２、及びプラントＣ内の計器３Ｅに対応する視野位置Ｃ−２−Ｐ２が設定されている。
【００２６】
プラントＣの固定視野カメラのうち、カメラＣ−３の視野位置Ｃ−３−Ｐ’は、プラントＣの計器３Ｆに対応する。また、カメラＣ−４の視野位置Ｃ−４−Ｐ’はプラントＣの別の計器３Ｇに対応する。さらに、カメラＣ−５，Ｃ−６の視野位置Ｃ−５−Ｐ’，Ｃ−６−Ｐ’は、プラントＣ内の加熱炉５Ｃのバーナーに対応する。さらにまた、カメラＣ−７，Ｃ−８の視野位置Ｃ−７−Ｐ’，Ｃ−８−Ｐ’は、プラントＣ内の加熱炉５Ｄのバーナーに対応する。
【００２７】
図１を参照すると、各プラントＡ〜Ｃに設置されたカメラＡ−１〜Ａ−６，Ｂ−１〜Ｂ−６，Ｃ−１〜Ｃ−８は、コントロールルーム１０に設置された監視装置１１Ａ〜１１Ｌに接続されている。
【００２８】
プラントＡに設置されたカメラＡ−１〜Ａ−６はそれぞれＭＰＥＧエンコーダ１２を介して共通の光スイッチハブ１３Ａに接続されている。同様に、プラントＢ，Ｃに設置されたカメラＢ−１〜Ｂ−６，Ｃ−１〜Ｃ−８も、それぞれＭＰＥＧエンコーダ１２を介してプラント毎に設けられた光スイッチハブ１３Ｂ，１３Ｃに接続されている。各光スイッチハブ１３Ａ〜１３Ｃは、伝送線（例えば100Base-FX）１４を介してコントロールルーム１０内の光スイッチメインハブ１５に接続されている。光スイッチハブ１３に各監視装置１１Ａ〜１１Ｌが接続されている。
【００２９】
ＭＰＥＧエンコーダ１２は主として２つの機能を有する。第１の機能としては、ＭＰＥＧエンコーダ１２は、カメラＡ−１〜Ｃ−８により撮影された動画像をエンコードし、光スイッチハブ１３、伝送線１４、及び光スイッチメインハブ１５を介していずれかの監視装置１１Ａ〜１１Ｌに送信する。第２の機能としては、各監視装置１１Ａ〜１１Ｌは、光スイッチメインハブ１５及び伝送線１４を介して、撮影を実行させたいカメラＡ−１〜Ｃ−８のＭＰＥＧエンコーダ１２にアクセスして撮影命令を送り、この撮影命令に基づいてＭＰＥＧエンコーダ１２が対応するカメラＡ−１〜Ｃ−８に信号を送信して撮影を実行させる。特に、可変視野カメラであるカメラＡ−１，Ａ−２，Ｂ−１，Ｂ−４，Ｃ−１，Ｃ−２に対応するＭＰＥＧエンコーダ１２は、各監視装置１１Ａ〜１１Ｌからの撮影命令に基づいて、これらのカメラに視野位置の変更を指示する信号（プリセット信号）を送信する。この信号を受信したカメラＡ−１，Ａ−２，Ｂ−１，Ｂ−４，Ｃ−１，Ｃ−２は、水平方向及び／又は垂直方向に旋回して現在の視野位置から別の視野位置に移動する。
【００３０】
光スイッチハブ１３Ａ〜１３Ｃ及び光スイッチメインハブ１５により、各カメラＡ−１〜Ｃ−８のＭＰＥＧエンコーダ１２から送信されるエンコードされた画像が、対応する監視装置１１Ａ〜１１Ｌに送信する。また、光スイッチハブ１３Ａ〜１３Ｃ及び光スイッチメインハブ１５により、各監視装置１１Ａ〜１１Ｌからの命令が対応するカメラＡ−１〜Ｃ−８のＭＰＥＧエンコーダ１２に送信される。特に、光スイッチメインハブ１５はルータとして機能する。
【００３１】
次に、監視装置１１Ａ〜１１Ｌについて説明する。本実施形態では、監視装置１１Ａ〜１１Ｌはパーソナルコンピュータとそのモニタディスプレイ（表示装置）２１からなり、３台１組で１人のオペレータ２２によって操作される。なお、コントロールルーム１０内には、管理用のパーソナルコンピュータ２４とそのモニタディスプレイ２１も設置されている。
【００３２】
以下、理解を容易にするために１台の監視装置１１Ａに着目して説明するが、他の監視装置１１Ｂ〜１１Ｌも同様の構成及び機能を有する。監視装置１１Ａのモニタディスプレイ２１には、プラントＡ〜Ｂに設置されたカメラＡ−１〜Ｃ−８で撮影中の画像が表示される。図２に示すように、モニタディスプレイ２１の画面２３は４つの副領域２３Ａ，２３Ｂ，２３Ｃ，２３Ｄに分割されている。後に詳述するように、個々の副領域２３Ａ〜２３Ｄには、別個のカメラＡ−１〜Ｃ−８で撮影中の画像が表示され、かつ各副領域２３Ａ〜２３Ｄに表示される画像は一定の時間間隔で切り換えられる。
【００３３】
監視装置１１Ａは、記憶部２６、カメラ制御部２７、表示制御部２８、デコーダ部２９、通信制御部３０、設定操作部３１、及び入力部３２を備える。
【００３４】
記憶部２６は、カメラデータ記憶部２６Ａ、画像グループデータ記憶部２６Ｂ、シーケンスデータ記憶部２６Ｃ、及びその他のデータの記憶部２６Ｄを備える。
【００３５】
カメラデータ記憶部２６Ａは、プラントＡ〜Ｃに設置されたカメラＡ−１〜Ｃ−８に関するデータ（カメラデータ）を記憶している。このカメラデータは、可変視野カメラであるカメラＡ−１，Ａ−２，Ｂ−１，Ｂ−４，Ｃ−１，Ｃ−２に設定されている複数の視野位置、及び固定視野カメラである残りのカメラＡ−３〜Ａ−６，Ｂ−２，Ｂ−３，Ｂ−５，Ｂ−６，Ｃ−３〜Ｃ−８についての固定の視野位置を含む。図４は、カメラデータのデータ構造の一例を示し、この例では「プラントＡ」、「プラントＢ」、及び「プラントＣ」と表示した３つのディレクトリ（符号３５で示す。）に対応するカメラＡ−１〜Ｃ−８のデータ（符号３６で示す。）が格納された２層のツリー構造である。ただし、カメラデータは３層以上のツリー構造を有していてもよい。
【００３６】
画像グループデータ記憶部２６Ｂは、モニタディスプレイ２１の画面２３に同時に表示されるカメラＡ−１〜Ｃ−８の４つの視野位置の組合せ、及びそれらが画面２３の４つの副領域２３Ａ〜２３Ｄのいずれに表示されるかを特定するデータ（画像グループデータ）を記憶している。図５は、画像グループデータのデータ構造の一例を示し、この例では「プラントＡ」、「プラントＢ」、及び「プラントＣ」と表示した３つのディレクトリ（符号３７Ａ〜３７Ｃで示す。）に対応する画像グループデータ（符号３８Ａ〜３８Ｈで示す。）が格納されている。
【００３７】
まず、「プラントＡ」のディレクトリ３７Ａには、それぞれ「プラントＡ第１エリア」、「プラントＡ第２エリア」、「プラントＡ第３エリア」、及び「第１加熱炉グループ」と命名された４つの画像グループデータ３８Ａ〜３８Ｄが格納されている。
【００３８】
図６（Ａ）に示すように「プラントＡ第１エリア」の画像グループデータ３８Ａでは、画面２３の左上の副領域２３Ａに可動視野カメラであるカメラＡ−１の視野位置Ａ−１−Ｐ１（タワー及びタンク１Ａに対応する。）、右上の副領域２３Ｂに可動視野カメラであるカメラＢ−１の視野位置Ｂ−１−Ｐ１（タワー及びタンク１Ａに対応する。）、左下の副領域２３Ｃに可動視野カメラであるカメラＡ−２の視野位置Ａ−２−Ｐ１（タワー及びタンク１Ｂに対応する。）、右下の副領域２３Ｄに固定視野カメラであるカメラＡ−３の視野位置Ａ−３−Ｐ’（タワー及びタンク１Ｂに対応する。）がそれぞれ割り当てられている。「プラントＡ第１エリア」に含まれる視野位置はいずれもタワー及びタンクが監視対象である。
【００３９】
図６（Ｂ）に示すように「プラントＡ第２エリア」の画像グループデータ３８Ｂでは、画面２３の左上の副領域２３Ａに可動視野カメラであるカメラＡ−１の視野位置Ａ−１−Ｐ２（ポンプ及びコンプレッサ２Ａに対応する。）、右上の副領域２３Ｂに固定視野カメラであるカメラＡ−３の視野位置Ａ−３−Ｐ’（タワー及びタンク１Ｂに対応する。）、左下の副領域２３Ｃに可動視野カメラであるカメラＡ−２の視野位置Ａ−２−Ｐ２（ポンプ及びコンプレッサ２Ａに対応する。）、右下の副領域２３Ｄに可動視野カメラであるカメラＣ−１の視野位置Ｃ−１−Ｐ１（ポンプ及びコンプレッサ２Ｅに対応する。）がそれぞれ割り当てられている。「プラントＡ第２エリア」に含まれる視野位置は、主としてポンプ及びコンプレッサが監視対象である。
【００４０】
図６（Ｃ）に示すように、「プラントＡ第３エリア」の画像グループデータ３８Ｃでは、画面２３の左上の副領域２３Ａに可動視野カメラであるカメラＡ−１の視野位置Ａ−１−Ｐ３（計器３Ａに対応する。）、右上の副領域２３Ｂに固定視野カメラであるカメラＡ−４の視野位置Ａ−４−Ｐ’（計器３Ｃに対応する。）、左下の副領域２３Ｃに可動視野カメラであるカメラＡ−２の視野位置Ａ−２−Ｐ３（計器３Ｂに対応する。）、右下の副領域２３Ｄに可動視野カメラであるカメラＣ−１の視野位置Ｃ−１−Ｐ３（タワー及びタンク１Ｃに対応する。）がそれぞれ割り当てられている。「プラントＡ第３エリア」に含まれる視野位置は、主として計器が監視対象である。
【００４１】
図６（Ｄ）に示すように、「第１加熱炉グループ」の画像グループデータ３８Ｄでは、画面２３の左上の副領域２３Ａに固定視野カメラであるカメラＡ−５の視野位置Ａ−５−Ｐ’（加熱炉５Ａに対応する）、右上の副領域２３Ｂに固定視野カメラであるカメラＡ−６の視野位置Ａ−６−Ｐ’（加熱炉５Ａに対応する）、左下の副領域２３Ｃに固定視野カメラであるカメラＢ−５の視野位置Ｂ−５−Ｐ’（加熱炉６Ｂに対応する。）、右下の副領域２３Ｄに固定視野カメラであるカメラＢ−６の視野位置Ｂ−６−Ｐ’（加熱炉６Ｂに対応する。）がそれぞれ割り当てられている。
【００４２】
図５において「プラントＢ」のディレクトリ３７Ｂには、それぞれ「プラントＢ第１エリア」及び「プラントＢ第２エリア」と命名された２つの画像グループデータ３８Ｅ，３８Ｆが格納されている。
【００４３】
図７（Ａ）に示すように「プラントＢ第１エリア」の画像グループデータ３８Ｅでは、画面２３の左上の副領域２３Ａに可動視野カメラであるカメラＢ−１の視野位置Ｂ−１−Ｐ３（タワー及びタンク１Ｃに対応する。）、右上の副領域２３Ｂに可動視野カメラであるカメラＣ−２の視野位置Ｃ−２−Ｐ１（タワー及びタンク１Ｅに対応する。）、左下の副領域２３Ｃに可動視野カメラであるカメラＣ−１の視野位置Ｃ−１−Ｐ３（タワー及びタンク１Ｄに対応する。）、右下の副領域２３Ｄに可動視野カメラであるカメラＢ−４の視野位置Ｂ−４−Ｐ２（タワー及びタンク１Ｅに対応する。）がそれぞれ割り当てられている。「プラントＢ第１エリア」に含まれる視野位置はいずれもタワー及びタンクが監視対象である。
【００４４】
図７（Ｂ）に示すように「プラントＢ第２エリア」の画像グループデータ３８Ｆでは、画面２３の左上の副領域２３Ａに可動視野カメラであるカメラＢ−１の視野位置Ｂ−１−Ｐ２（ポンプ及びコンプレッサ２Ｂに対応する。）、右上の副領域２３Ｂに固定視野カメラであるカメラＢ−２の視野位置Ｂ−２−Ｐ’（ポンプ及びコンプレッサ２Ｄに対応する。）、左下の副領域２３Ｃに可動視野カメラであるカメラＢ−４の視野位置Ｂ−４−Ｐ１（ポンプ及びコンプレッサ２Ｃに対応する。）、右下の副領域２３Ｄに固定視野カメラであるカメラＢ−３の視野位置Ｂ−３−Ｐ’（ポンプ及びコンプレッサ２Ｄに対応する。）がそれぞれ割り当てられている。「プラントＢ第２エリア」に含まれる視野位置はいずれもポンプ及びコンプレッサが監視対象である。
【００４５】
図５において、「プラントＣ」のディレクトリ３７Ｃにはそれぞれ「プラントＣ第１エリア」及び「第２加熱炉グループ」と命名された２つの画像グループデータ３８Ｇ，３８Ｈが格納されている。
【００４６】
図８（Ａ）に示すように「プラントＣ第１エリア」の画像グループデータ３８Ｇでは、画面２３の左上の副領域２３Ａに可動視野カメラであるカメラＣ−２の視野位置Ｃ−２−Ｐ２（計器３Ｅに対応する。）、右上の副領域２３Ｂに固定視野カメラであるカメラＣ−３の視野位置Ｃ−３−Ｐ’（計器３Ｆに対応する。）、左下の副領域２３Ｃに可動視野カメラであるカメラＢ−４の視野位置Ｂ−４−Ｐ３（計器３Ｄに対応する。）、右下の副領域２３Ｄに固定視野カメラであるカメラＣ−４の視野位置Ｃ−４−Ｐ’（計器３Ｇに対応する。）がそれぞれ割り当てられている。「プラントＣ第１エリア」に含まれる視野位置はいずれも計器が監視対象である。
【００４７】
図８（Ｂ）に示すように、「第２加熱炉グループ」の画像グループデータ３８Ｈでは、画面２３の左上の副領域２３Ａに固定視野カメラであるカメラＣ−５の視野位置Ｃ−５−Ｐ’（加熱炉５Ｃに対応する）、右上の副領域２３Ｂに固定視野カメラであるカメラＣ−６の視野位置Ｃ−６−Ｐ’（加熱炉５Ｃに対応する）、左下の副領域２３Ｃに固定視野カメラであるカメラＣ−７の視野位置Ｃ−７−Ｐ’（加熱炉５Ｄに対応する。）、右下の副領域２３Ｄに固定視野カメラであるカメラＣ−８の視野位置Ｃ−８−Ｐ’（加熱炉５Ｄに対応する。）がそれぞれ割り当てられている。
【００４８】
シーケンスデータ記憶部２６Ｃには、画像グループデータ３８Ａ〜３８Ｈのうち、モニタディスプレイ２１の画面２３上での順次表示（シーケンス表示）の対象となる画像グループデータ、画像グループデータを表示させる順序、及びモニタディスプレイ２１に表示される画像グループデータを切り換える時間間隔を含むシーケンスデータが記憶されている。図９はシーケンスデータの一例を概念的に示す。この例では、画像グループデータ記憶部２６Ｂに記憶されたすべての画像グループデータ３８Ａ〜３８Ｈがシーケンス対象に設定されている。また、画面２３上での表示順序は、画像グループデータ３８Ａ，３８Ｅ，３８Ｂ，３８Ｆ，３８Ｃ，３８Ｇ，３８Ｄ，３８Ｈの順である。画像グループデータ３８Ａ〜３８Ｈの切り換えの時間間隔は、例えば５秒程度に設定される。
【００４９】
カメラ制御部２７は、記憶部２６のシーケンスデータ記憶部２６Ｃに記憶されたシーケンスデータに基づいて、カメラＡ−１〜Ｃ−８を制御する。カメラ制御部２７は、固定視野カメラ（カメラＡ−３〜Ａ−６）に対し撮影の開始及び停止を命令する。また、カメラ制御部２７は、可変視野カメラ（カメラＡ−１，Ａ−２，Ｂ−１，Ｂ−４，Ｃ−１，Ｃ−２）に対し、視野位置を移動するための水平方向や垂直方向の旋回を命令し、かつ撮影の開始及び停止を命令する。さらに、カメラ制御部２７は、シーケンスデータに規定された順次に基づいて、カメラＡ−１〜Ｃ−８による撮影に使用する画像グループデータ３８Ａ〜３８Ｈを順次切り換える。
【００５０】
表示制御部２８は、モニタディスプレイ２１を制御し、シーケンス表示の対象となっている個々の画像グループデータ３８Ａ〜３８Ｈに対応するカメラＡ−１〜Ｃ−８からの画像を画面２３に順次表示させる。また、表示制御部２８は、画面２３を前述の副領域２３Ａ〜２３Ｄに分割し、個々の画像グループデータ３８Ａ〜３８Ｈに含まれる視野位置の画像を対応する副領域２３Ａ〜２３Ｄに表示させる機能を有する。
【００５１】
デコーダ部２９は、ＭＰＥＧエンコーダ１２から受信したエンコードされた画像をデコードして表示制御部２８に送る。
【００５２】
通信制御部３０は、光スイッチメインハブ１５、伝送線１４、及び光スイッチハブ１３を介して個々のカメラＡ−１〜Ｃ−８のＭＰＥＧエンコーダ１２との通信を行う。具体的には、通信制御部３０は、個々のカメラＡ−１〜Ｃ−８のＭＰＥＧエンコーダ１２からエンコードされた画像を受信する。また、カメラ制御部２７からの命令は、通信制御部３０により個々のカメラＡ−１〜Ｃ−８のＭＰＥＧエンコーダ１２に送信される。
【００５３】
設定操作部３１は、後に詳述するように画像グループデータ記憶部２６Ｂに記憶された画像グループデータとシーケンスデータ記憶部２６Ｃに記憶されたシーケンスデータの追加、削除、及び変更を実行する。また、設定操作部３１はカメラデータ記憶部２６Ａに記憶されたカメラデータの追加、削除、及び変更を実行する。
【００５４】
入力部３２は、キーボード、マウス等のデバイスと画面２３上に表示されるアイコン等により構成されたＧＵＩであり、オペレータ２２はこの入力部３２を介して種々の命令を監視装置１１Ａに入力することができる。
【００５５】
次に、図１０を参照して、本実施形態のプラント監視システムの動作を説明する。まず、ステップＳ１０−１において、変数Ｎの初期値を「１」に設定する。次に、ステップＳ１０−２において、監視装置１Ａのカメラ制御部２７が、シーケンスデータ記憶部２６Ｃに記憶されているシーケンス表示の対象の画像グループデータ３８Ａ〜３８Ｈのうち、第Ｎ番目の画像グループデータの第１番目から第ｎ番目（本実施形態では第４番目）のカメラＡ−１〜Ｃ−８に該当する可変視野カメラ及び固定視野カメラに対して撮影命令を送信する。図９に示すシーケンスデータの場合、まず第１番目の画像グループデータ３８Ａの第１番目から第４番目のカメラＡ−１，Ｂ−１，Ａ−２，Ａ−３に撮影命令が送信される。
【００５６】
監視装置１１Ａの通信制御部３０から送信された撮影命令は、光スイッチメインハブ１５、伝送線１４、及び光スイッチハブ１３Ａ，１３Ｂを介して個々のカメラＡ−１，Ｂ−１，Ａ−２，Ａ−３のＭＰＥＧエンコーダ１２で受信される（ステップＳ１０−３）。
【００５７】
次に、ステップＳ１０−４において可変視野カメラであれば、ステップＳ１０−５においてＭＰＥＧエンコーダ１２が視野位置の変更を指示する信号をカメラに送信し、この信号を受信した可変視野カメラは、水平方向及び／又は垂直方向に旋回して画像グループデータで特定されている視野位置に視野を変更する。図９の第１番目の画像グループデータ３８Ａの場合、第１番目から第３番のカメラＡ−１，Ｂ−１，Ａ−２が可変視野カメラである。従って、これらのカメラＡ−１，Ｂ−１，Ａ−２は画像グループデータ３８Ａで特定されている視野位置に視野を変更する。
【００５８】
次に、ステップＳ１０−６において、第Ｎ番目の画像グループデータの第１番目から第ｎ番目のカメラＡ−１〜Ｃ−８による撮影が開始される。図９の第１番目の画像グループデータ３８Ａの場合、カメラＡ−１，Ｂ−１，Ａ−２，Ａ−３が撮影を開始する。
【００５９】
ステップＳ１０−７において、カメラＡ−１〜Ｃ−８で撮影された画像が監視装置１Ａに送信される。ステップＳ１０−８において画像を受信した監視装置１Ａは、ステップＳ１０−９において受信した画像をモニタディスプレイ２１の画面２３に表示する。詳細には、カメラＡ−１〜Ｃ−８で撮影された画像はＭＰＥＧエンコーダ１２でエンコードされた後、光スイッチハブ１３、伝送線１４、及び光スイッチメインハブ１５を介して、監視装置１Ａの通信制御部３０で受信される。通信制御部３０で受信された画像は、デコーダ部２９でデコードされた後、表示制御部２８に送られる。表示制御部２８は第１番目から第４番目にカメラＡ−１〜Ｃ−８で撮影中の画像をそれぞれ画面２３の第１番目から第４番目の副領域２３に同時に表示する。ステップＳ１０−１０で表示時間（画像グループデータの切り換えの時間間隔）が経過するまで、ステップＳ１０−７〜Ｓ１０−９の動作が継続する。
【００６０】
図９の第１番目の画像グループデータ３８Ａの場合、カメラＡ−１，Ｂ−１，Ａ−２，Ａ−３で撮影された画像が監視装置１Ａに送信され、監視装置１Ａのモニタディスプレイ２１の画面２３にこれらの画像が表示される。詳細には、画面２３の副領域２３ＡにカメラＡ−１の視野位置Ａ−１−Ｐ１（タワー及びタンク１Ａを含む。）での画像、副領域２３ＢにカメラＢ−１の視野位置Ｂ−１−Ｐ１（タワー及びタンク１Ａを含む。）での画像、副領域２３ＣにカメラＡ−２の視野位置Ａ−２−Ｐ１（タワー及びタンク１Ｂを含む。）での画像、副領域２３ＤにカメラＡ−３の固定の視野位置Ａ−３−Ｐ’での画像がそれぞれ表示される。
【００６１】
ステップＳ１０−１０において表示時間が経過すると、ステップＳ１０−１１において監視装置１Ａのカメラ制御部２７から撮影中のカメラＡ−１〜Ｃ−８に対して撮影停止命令が送信される。この撮影停止命令は、光スイッチメインハブ１５、伝送線１４、及び光スイッチハブ１３Ａ，１３Ｂを介して個々のカメラＡ−１〜Ｃ−８のＭＰＥＧエンコーダ１２で受信される。ステップＳ１０−１３においてＭＰＥＧエンコーダ１２からの信号によりカメラＡ−１〜Ｃ−８が撮影を停止する。
【００６２】
ステップＳ１０−１４において変数Ｎに「１」が加算される。ステップＳ１０−１５においてＮがＮmax以上であれば（図９のシーケンスデータの場合はＮmax＝８）、ステップＳ１０−１６において変数Ｎを「１」に戻した後、ステップＳ１０−２に戻る。
【００６３】
図９に示すシーケンスデータの場合、監視装置１Ａのモニタディスプレイ２１の画面２３には、画像グループデータ３８Ａ，３８Ｅ，３８Ｂ，３８Ｆ，３８Ｃ，３８Ｇ，３８Ｄ，３８Ｈに対応する画像が一定の時間間隔で順次表示される。従って、オペレータ２２はモニタディスプレイ２１の画面２３を見ることで、プラントＡ〜Ｃに含まれる複数の監視対象を効率的に監視できる。特に、可変視野カメラであるカメラＡ−１，Ａ−２，Ｂ−１，Ｂ−４，Ｃ−１，Ｃ−２の視野は、画像グループデータ３８Ａ〜３８Ｄに基づいて特定の監視対象に対応する視野位置に移動し、その視野位置で撮影中の画像がモニタディスプレイ２１の画面２３の副領域２３Ａ〜２３Ｄに表示される。従って、従来のプラント監視における可変視野カメラの運用のように、可変視野カメラの視野が一つの監視対象から他の監視対象に移動する間もオペレータが表示装置の画面を見続ける必要がない。従って、比較的少人数のオペレータ２２で効率的にプラントＡ〜Ｃを監視することができる。
【００６４】
図１１のフローチャートを参照して、入力部３２から入力されるオペレータ２２の命令に基づいて設定操作部３１により実行される画像グループデータの操作について説明する。まず、ステップＳ１１−１において図１２に示す設定初期画面４０がモニタディスプレイ２１に表示される。この設定初期画面４０の左側の領域４１にはカメラデータ記憶部２６Ａに記憶されたカメラデータ（図４参照）が表示され、右側の領域４２には画像グループデータ記憶部２６Ｂに記憶された画像グループデータ３８Ａ〜３８Ｈが（図５参照）表示される。画像グループデータを新たに作成する場合には右側の領域４２でいずれかのディレクトリ３７Ａ〜３７Ｃを選択した後、ステップＳ１１−２において設定初期画面４０中の画像グループ登録ボタン４３を選択すると、ステップＳ１１−３において図１３に示す画像グループ設定用画面５０がモニタディスプレイ２１に表示される。
【００６５】
画像グループ設定用画面５０の左側の領域５１には、カメラデータ記憶部２６Ａに記憶されたカメラデータが表示される。また、右側の領域５２には現在作成中の画像グループデータ３８がテーブルの形式で表示される。このテーブルは画面２３に副領域２３Ａ〜２３Ｄに対応する４つの入力領域５３Ａ〜５３Ｄが表示される。ステップＳ１１−４においていずれかの入力領域５３Ａ〜５３Ｄ（副領域２３Ａ〜２３Ｄ）を選択し、さらにステップＳ１１−５において左側の領域５１からカメラＡ−１〜Ｃ−８のうちからいずれかを選択した後、ステップＳ１１−６において追加ボタン５４を選択すると、ステップＳ１１−７において選択したカメラＡ−１〜Ｃ−８が選択した入力領域５３Ａ〜５３Ｄに入力される。ステップＳ１１−８において選択したカメラＡ−１〜Ｃ−８が可変視野カメラの場合には、ステップＳ１１−９において入力領域５５を操作して視野位置を設定する。図１３では、副領域２３Ａに対応する入力領域５３Ａは可変視野のカメラＡ−１に設定され、その視野位置はＰ３に設定されている。また、副領域２３Ｂに対応する入力領域５３Ｂは可変視野のカメラＡ−２に設定され、その視野位置はＰ２に設定されている。
【００６６】
すべての入力領域５３Ａ〜５３Ｄ（副領域２３Ａ〜２３Ｄ）にカメラＡ−１〜Ｃ−８のいずれかを入力後（可変視野カメラについては視野位置も入力する。）、ステップＳ１１−１０において画像グループデータの名称を入力領域５６に入力する。なお、画像グループ設定用画面５０の入力欄５３Ａ〜５３Ｄにいったん入力したカメラＡ−１〜Ｃ−８を削除する場合には、該当する入力欄５３Ａ〜５３Ｄを選択した後、削除ボタン５８を選択すればよい。ステップＳ１１−１１において「ＯＫ」のボタン５９を選択すると、新たに作成した画像グループデータが画像グループデータ記憶部２６Ｂに記憶される。
【００６７】
既に登録済みの画像グループデータ３８Ａ〜３８Ｈを変更する場合には、設定初期画面４０の右側の領域４２でいずれかの画像グループデータ３８を選択した後、画像グループ設定ボタン４４を選択すれば、図１３の画像グループ設定用画面５０が表示される。従って、図１１と同様の操作で画像グループデータを変更できる。
【００６８】
既に登録済みの画像グループデータ３８Ａ〜３８Ｈを削除する場合には、設定初期画面４０の右側の領域４２でいずれかの画像グループデータ３８を選択した後、設定初期画面４０中の削除ボタン４５を選択すればよい。
【００６９】
なお、設定初期画面４０中のボタン群４６の操作でカメラデータ記憶部２６Ａに記憶されたカメラデータの新規の登録、削除、閲覧、及び変更等を行うことができる。
【００７０】
次に、図１４のフローチャートを参照して、入力部３２から入力されるオペレータ２２等の命令に基づいて設定操作部３１により実行されるシーケンスデータの操作について説明する。まず、ステップＳ１４−１において図１５に示すシーケンスダイアログ６０が表示される。次に、ステップＳ１４−２において「全画像グループ」のラジオボタン６１を選択すると、ステップＳ１４−３において画像グループデータ記憶部２６Ｂに記憶されているすべての画像グループデータ３８Ａ〜３８Ｈがシーケンス表示の対象に設定される。シーケンスダイアログ６０の「ＯＫ」のボタン６２を選択すれば、画像グループデータ記憶部２６Ｂに記憶されているすべての画像グループデータ３８Ａ〜３８Ｈがシーケンス表示の対象としてシーケンスデータ記憶部２６Ｃに記憶される。入力領域６４には画像グループデータ３８Ａ〜３８Ｈの表示切換の時間間隔を設定することができる。また、ラジオボタン６５，６６によりシーケンスデータ記憶部２６Ｃにおける順序通りに画像グループデータ３８Ａ〜３８Ｈを表示するか（順方向）、シーケンスデータ記憶部２６Ｃ内の順序とは逆方向に画像グループデータ３８Ａ〜３８Ｈを表示するか（逆方向）を設定することができる。
【００７１】
ステップＳ１４−４においてシーケンスダイアログ６０の「選択した画像グループ」のラジオボタン６７を選択し、かつ「ＯＫ」のボタン６２を選択すると、ステップＳ１４−５において図１６に示すシーケンス対象設定画面７０が表示される。このシーケンス対象設定画面７０の右側の領域には画像グループデータ記憶部２６Ｂに記憶された画像グループデータ３８Ａ〜３８Ｈ（図５）が画像グループデータ一覧７１として表示される。また、シーケンス対象設定画面７０の右側にはシーケンス表示の対象として選択されている画像グループデータ３８Ａ〜３８Ｈがシーケンス表示対象画像一覧７２として表示される。
【００７２】
ステップＳ１４−６において画像グループデータ一覧７１から画像グループデータ３８Ａ〜３８Ｈを選択した後、ステップＳ１４−７において追加ボタン７３を選択すると、ステップＳ１４−８において選択した画像グループデータ３８Ａ〜３８Ｈがシーケンス表示対象画像一覧７２に追加される。また、ステップＳ１４−９においてシーケンス表示対象画像一覧７２から画像グループデータ３８Ａ〜３８Ｈを選択した後、ステップＳ１４−１０において削除ボタン７４を選択すると、ステップＳ１４−１１において選択した画像グループがシーケンス対象表示画像一覧７２から削除される。以上の操作を繰り返してシーケンス表示対象画像一覧７２に所望の画像グループデータ３８Ａ〜３８Ｈを登録した後、ステップＳ１４−１２で保存ボタン７５を選択すると、ステップＳ１４−１３においてシーケンス表示対象画像一覧７２に含まれる画像グループデータ３８がシーケンス表示対象に確定され、シーケンスデータ記憶部２６Ｃに記憶される。
【００７３】
以上のように、オペレータ２２は必要に応じて画像グループデータ３８Ａ〜３８Ｈや、シーケンス表示の対象となる画像グループデータ３８Ａ〜３８Ｈの設定を行うことができ、より効率的にプラントＡ〜Ｃを監視することができる。なお、図１１及び図１２の処理は、前述の管理用のパーソナルコンピュータ２４で実行可能であってもよい。
【００７４】
化学プラントを例に本発明を説明したが、本発明は石油プラント、各種の生産プラント、及び上下水処理プラント等の種々のプラントに適用することができる。
【図面の簡単な説明】
【００７５】
【図１】本発明の実施形態に係るプラント監視システムを示すブロック図。
【図２】監視装置を示すブロック図。
【図３】監視カメラの配置と各監視カメラの視野位置を示すブロック図。
【図４】カメラデータの構造を示すツリー図。
【図５】画像グループデータを示すツリー図。
【図６】（Ａ）、（Ｂ）、（Ｃ）、及び（Ｄ）はプラントＡのディレクトリに属する画像グループデータを示す模式図。
【図７】（Ａ）及び（Ｂ）はプラントＢのディレクトリに属する画像グループデータを示す模式図。
【図８】（Ａ）及び（Ｂ）はプラントＣのディレクトリに属する画像グループデータを示す模式図。
【図９】シーケンスデータ記憶部に記憶された画像グループデータを示す模式図。
【図１０】プラント監視システムの動作を説明するためのフローチャート。
【図１１】設定操作部による画像グループデータ記憶部の操作を説明するためのフローチャート。
【図１２】設定初期画面を示す図。
【図１３】画像グループ設定用画面を示す図。
【図１４】設定操作部によるシーケンスデータ記憶部の操作を説明するためのフローチャート。
【図１５】シーケンスダイアログを示す図。
【図１６】シーケンス対象設定画面を示す図。
【符号の説明】
【００７６】
１Ａ〜１Ｆ  タワー及びタンク
２Ａ〜２Ｅ  ポンプ及びコンプレッサ
３Ａ〜３Ｇ  計器
５Ａ〜５Ｄ  加熱炉
６  高層煙突
１０  コントロールルーム
１１Ａ〜１１Ｌ  監視装置
１２  ＭＰＥＧエンコーダ
１３Ａ，１３Ｂ，１３Ｃ  光スイッチハブ
１４  伝送線
１５  光スイッチメインハブ
２１  モニタディスプレイ
２２  オペレータ
２３  画面
２３Ａ〜２３Ｃ  副領域
２６  記憶部
２６Ａ  カメラデータ記憶部
２６Ｂ  画像グループデータ記憶部
２６Ｃ  シーケンスデータ記憶部
２６Ｄ  その他のデータの記憶部
２７  カメラ制御部
２８  表示制御部
２９  デコーダ部
３０  通信制御部
３１  設定操作部
３２  入力部
３８Ａ〜３８Ｈ  画像グループデータ
４０  設定初期画面
５０  画像グループ設定用画面
６０  シーケンスダイアログ
Ａ，Ｂ，Ｃ  プラント
Ａ−１〜Ａ−６，Ｂ−１〜Ｂ−６，Ｃ−１〜Ｃ−８  監視カメラ
【図１】
2006139668.tif 000003
【図２】
2006139668.tif 000004
【図３】
2006139668.tif 000005
【図４】
2006139668.tif 000006
【図５】
2006139668.tif 000007
【図６】
2006139668.tif 000008
【図７】
2006139668.tif 000009
【図８】
2006139668.tif 000010
【図９】
2006139668.tif 000011
【図１０】
2006139668.tif 000012
【図１１】
2006139668.tif 000013
【図１２】
2006139668.tif 000014
【図１３】
2006139668.tif 000015
【図１４】
2006139668.tif 000016
【図１５】
2006139668.tif 000017
【図１６】
2006139668.tif 000018